(57)【特許請求の範囲】
【請求項１】
装置本体の側面下部に前後方向に背面まで延びる段状の把手を形成し、装置本体の背面に電源基板のインレットを配置して成る画像形成装置において、
前記インレットを装置本体の背面から内側にオフセットさせて配置するとともに、装置本体の背面に前記インレットに連なる凹状のケーブルガイドを形成し、該ケーブルガイドを前記把手の段差に上方から連通させ、前記インレットから延びる電源ケーブルを前記ケーブルガイドから前記把手の段差を経て引き廻したことを特徴とする画像形成装置。
【請求項２】
装置本体の背面に前記インレットに連なる凹状のケーブルガイドを形成する一側面はサイドカバーとすることを特徴とする請求項１記載の画像形成装置。
【発明の詳細な説明】
【技術分野】
【０００１】
本発明は、装置本体の背面に電源基板のインレットを配置して成る画像形成装置に関するものである。
【背景技術】
【０００２】
電子写真方式によって用紙に画像を形成する複写機やプリンタ等の画像形成装置には、装置本体の背面に電源基板のインレットが配置され、該インレットから延びる電源ケーブルが装置本体の前面側に引き出されてコンセントに差し込まれ、商用電源に接続されていた。或いは、電源ケーブルは、装置本体の後側の壁面等に設けられる商用コンセントに差し込まれ、商用電源に接続されていた。
【特許文献１】特開２００４−０８２４７９号公報
【特許文献２】特開２００３−０６６６６８号公報
【発明の開示】
【発明が解決しようとする課題】
【０００３】
ところが、従来の画像形成装置においては、装置本体の背面に設けられたインレットから延びて装置本体の周囲を引き廻される電源ケーブルは装置本体から突出する場合が多く、配線用のスペースを要し、他の画像出力用ケーブルも混在して煩雑となり、装置の設置スペースと稼働スペースが大きくなってしまうという問題があったり、装置本体を移動させて使用する際に壁面等の商用コンセントに電源ケーブルを抜き差しするのに大変苦労し、操作が困難であるという問題もあった。
【０００４】
本発明は上記問題に鑑みてなされたもので、その目的とする処は、電源ケーブルの取り廻しを装置本体の設置面積内で行うことによって設置スペースと稼働スペースを最小限に抑えることができ、且つ、装置本体を移動使用する際の操作性を向上させた画像形成装置を提供することにある。
【課題を解決するための手段】
【０００５】
上記目的を達成するため、本発明は、装置本体の側面下部に前後方向に背面まで延びる段状の把手を形成し、装置本体の背面に電源基板のインレットを配置して成る画像形成装置において、前記インレットを装置本体の背面から内側にオフセットさせて配置するとともに、装置本体の背面に前記インレットに連なる凹状のケーブルガイドを形成し、該ケーブルガイドを前記把手の段差に上方から連通させ、前記インレットから延びる電源ケーブルを前記ケーブルガイドから前記把手の段差を経て引き廻したことを特徴とする。
【発明の効果】
【０００６】
本発明によれば、インレットを装置本体の背面から内側にオフセットさせて配置するとともに、装置本体の背面に前記インレットに連なる凹状のケーブルガイドを形成し、該ケーブルガイドを前記把手の段差に上方から連通させ、前記インレットから延びる電源ケーブルを前記ケーブルガイドから前記把手の段差を経て引き廻すようにしたため、電源ケーブルの取り廻しを装置本体の設置面積内で行うことができ、該電源ケーブルが装置本体から突出しないために画像形成装置本体の設置スペースと稼動スペースを最小限に抑えることができる。装置本体の背面に前記インレットに連なる凹状のケーブルガイドを形成する一側面はサイドカバーとしたことで、新たにケーブルガイドを設けることなく既存のサイドカバーを利用することができ、これによって部品点数の増加を抑えることができる。
【発明を実施するための最良の形態】
【０００７】
以下に本発明の実施の形態を添付図面に基づいて説明する。
【０００８】
図１は本発明に係る画像形成装置の背面図、図２は同画像形成装置のインレット部の背面斜視図、図３は同画像形成装置の側面図、図４は同画像形成装置を斜め下方から見た部分斜視図である。
【０００９】
本実施の形態に係る画像形成装置１は、レーザープリンタであって、矩形ボックス状の装置本体２を備えており、この装置本体２の内部には、本体フレームに組み込まれた感光ドラム、帯電器、現像装置、転写装置、定着装置等の各種プロセス機器（何れも不図示）が内蔵されている。そして、装置本体２の前面（図２の左方を前方とする）は、開閉可能なフロントカバー３で覆われ、左右はサイドカバー４，５で覆われ、後面はリヤカバー６で覆われ、上面はトップカバー７によってそれぞれ覆われている。尚、フロントカバー３、サイドカバー４，５、リヤカバー６及びトップカバー７は何れも樹脂によって一体成形されている。
【００１０】
ところで、装置本体２の左右の下部には前後方向に延びる段凹状の把手８が形成されており、図４に示すように、各把手８には前後方向に延びる滑り止め用の３本の突起８ａがそれぞれ一体に突設されている。
【００１１】
又、図１、図２及び図４に示すように、装置本体２の背面下部には幅方向に延びる段凹部２ａが形成されており、この段凹部２ａの右側端部（図１及び図２においては左側端部）には電源基板のインレット９が配置されている。従って、このインレット９は、装置本体２の背面から内側にオフセットして配置されていることになる。
【００１２】
而して、本実施の形態は、装置本体２の背面の右端部に前記インレット９（段凹部２ａ）に連なる凹状のケーブルガイド２ｂを上下方向に形成し、該ケーブルガイド２ｂを前記把手８の段差に連通させ、前記インレット９から延びる電源ケーブル１０を前記ケーブルガイド２ｂから前記把手８の段差を経て引き廻したことを特徴としている。尚、電源ケーブル１０の両端には電源プラグ１１，１２が取り付けられており、一方の電源プラグ１１は、装置本体２の背面に配置されたインレット９に差し込まれ、他方の電源プラグ１２は、壁等に取り付けられた商用電源用の不図示のコンセントに差し込まれ、商用電源が電源ケーブル１０を介して画像形成装置１の不図示の電源基板へと供給される。ここで、装置本体２の背面の右端部に前記インレット９（段凹部２ａ）に連なる凹状のケーブルガイド２ｂの一側面は、サイドカバー５によって構成されている。
【００１３】
以上のように、本実施の形態では、インレット９を装置本体２の背面から内側にオフセットさせて配置するとともに、装置本体２の背面に前記インレット９に連なる凹状のケーブルガイド２ｂを形成し、該ケーブルガイド２ｂを把手８の段差に連通させ、前記インレット９から延びる電源ケーブル１０を前記ケーブルガイド２ｂから前記把手８の段差を経て引き廻すようにしたため、電源ケーブル１０の取り廻しを装置本体２の設置面積内で行うことができ、該電源ケーブル１０が装置本体２から突出しないために画像形成装置１の設置スペースと稼働スペースを最小限に抑えることができるという効果が得られる。
【００１４】
尚、以上は本発明をレーザープリンタに適用した形態について説明したが、本発明は、プリンタの他、複写機やファクシミリ等の他の画像形成装置に対しても同様に適用可能であることは勿論である。
【図面の簡単な説明】
【００１５】
【図１】本発明に係る画像形成装置の背面図である。
【図２】本発明に係る画像形成装置のインレット部の背面斜視図である。
【図３】本発明に係る画像形成装置の側面図である。
【図４】本発明に係る画像形成装置を斜め下方から見た部分斜視図である。
【符号の説明】
【００１６】
１          画像形成装置
２          装置本体
２ａ        装置本体の段凹部
２ｂ        装置本体のケーブルガイド
３          フロントカバー
４，５      サイドカバー
６          リヤカバー
７          トップカバー
８          把手
８ａ        把手の突起
９          インレット
１０        電源ケーブル
１１，１２  電源プラグ
【図１】
0005054548.tif 000002
【図２】
0005054548.tif 000003
【図３】
0005054548.tif 000004
【図４】
0005054548.tif 000005